(57)【要約】  磁気共鳴イメージングシステムは、幾つかのＲＦ励起の１つを生成するＲＦ励起モジュール、及び幾つかの磁場傾斜パルスの１つを生成する傾斜モジュールを有し、制御ユニットがＲＦ励起モジュール及び傾斜モジュールを制御し、一連のＲＦ励起及び傾斜パルスを含む収集シーケンスを実行する。収集シーケンスは磁気共鳴信号が生成される幾つかの収集セグメントを有し、それぞれのセグメントにおいて異なる種類のコントラストが現れる。個々の収集セグメントは１つ又は幾つかの反復的な収集ユニットを有し、個々の収集ユニットにおける磁気共鳴信号は同一種類のコントラストに関連している。収集セグメントのグループ毎に異なる種類のコントラストを有するこの収集方法により、他の収集セグメントのグループのコントラスト種類に関係なく、各々のコントラスト種類の収集が最適化されることが可能になる。
2008523942.tif 000002
【特許請求の範囲】
【請求項１】
幾つかのＲＦ励起の１つを生成するＲＦ励起モジュール、
幾つかの磁場傾斜パルスの１つを生成する傾斜モジュール、及び
前記ＲＦ励起モジュール及び前記傾斜モジュールを制御する制御ユニット、
を有する磁気共鳴イメージングシステムであって、
前記制御ユニットは、一連のＲＦ励起及び傾斜パルスを含む収集シーケンスを実行するように構成されており、
前記収集シーケンスは磁気共鳴信号が生成される幾つかの収集セグメントを有し、それぞれのセグメントにおいて、前記磁気共鳴信号は異なる種類のコントラストに関連しており、且つ
個々の収集セグメントは１つ又は幾つかの反復的な収集ユニットを有し、個々の収集ユニットにおける磁気共鳴信号は同一種類のコントラストに関連している、
磁気共鳴イメージングシステム。
【請求項２】
前記制御ユニットは更に、それぞれの収集セグメントの期間及び／又は該収集セグメントのコントラスト種類の順序を、該収集セグメントの内容により課される制約に基づいて設定する、請求項１に記載の磁気共鳴イメージングシステム。
【請求項３】
前記制御ユニットは更に、それぞれの収集セグメントの期間及び／又は該収集セグメントのコントラスト種類の順序を、事前選択された安全マージン内で前記制約に基づいて設定する、請求項２に記載の磁気共鳴イメージングシステム。
【請求項４】
前記制御ユニットはそれぞれの収集セグメントの期間を設定するためのユーザ入力を受け取る、請求項２に記載の磁気共鳴イメージングシステム。
【請求項５】
前記制御ユニットはそれぞれの収集セグメントの期間を該収集セグメントの内容から計算する、請求項２に記載の磁気共鳴イメージングシステム。
【請求項６】
前記磁気共鳴信号を収集する受信モジュール、及び前記磁気共鳴信号から１つ又は幾つかの磁気共鳴画像を再構成する再構成モジュールを有し、
前記制御ユニットはまた、それぞれの磁気共鳴信号のコレクションを形成するそれぞれの収集セグメントからの磁気共鳴信号を集めるように前記受信モジュールを制御し、且つ
前記制御ユニットはまた、個々の磁気共鳴信号のコレクションからそれぞれの磁気共鳴画像を再構成するように前記再構成モジュールを制御する、
請求項１に記載の磁気共鳴イメージングシステム。
【請求項７】
一連のＲＦ励起及び傾斜パルスを含む収集シーケンスを実行する段階、
を有する磁気共鳴イメージング方法であって、
前記収集シーケンスは磁気共鳴信号が生成される幾つかの収集セグメントを有し、それぞれのセグメントにおいて、前記磁気共鳴信号は異なる種類のコントラストに関連しており、且つ
個々の収集セグメントは、１つ又は幾つかの反復的な収集ユニットを有し、個々の収集ユニットにおける磁気共鳴信号は同一種類のコントラストに関連している、
磁気共鳴イメージング方法。
【請求項８】
一連のＲＦ励起及び傾斜パルスを含む収集シーケンスを実行する命令を有するコンピュータプログラムであって、
前記収集シーケンスは磁気共鳴信号が生成される幾つかの収集セグメントを有し、それぞれのセグメントにおいて、前記磁気共鳴信号は異なる種類のコントラストに関連しており、且つ
個々の収集セグメントは、１つ又は幾つかの反復的な収集ユニットを有し、個々の収集ユニットにおける磁気共鳴信号は同一種類のコントラストに関連している、
コンピュータプログラム。
【発明の詳細な説明】
【技術分野】
【０００１】
本発明は、幾つかの種類のコントラストを有する磁気共鳴信号を生成可能な磁気共鳴イメージングシステムに関する。
【背景技術】
【０００２】
上記のような磁気共鳴イメージングシステムは特許文献１から知られている。既知の磁気共鳴イメージングシステムは励起時に磁気共鳴エコートレインを誘起するように動作する。この励起とは、撮像領域内の選択された双極子の磁気共鳴の励起に関するものである。すなわち、この励起はＲＦ励起として機能する。エコーは、相異なるエコー時間にて第１及び第２の画像のデータラインを生成するように位相及び周波数エンコードされる。エコーはそれぞれの画像にインターリーブされる。従って、エコー時間の相違のため、それぞれの画像内のコントラストは異なるものとなる。実際、既知の磁気共鳴イメージングシステムは、インターリーブ方式にて、典型的にＴ１コントラストとＴ２コントラストとをそれぞれ表す磁気共鳴信号を生成している。
【特許文献１】米国特許第６０７５３６２号明細書
【発明の開示】
【発明が解決しようとする課題】
【０００３】
本発明は、様々な種類のコントラストを表す磁気共鳴信号を生成する柔軟性が向上された磁気共鳴イメージングシステムを提供することを目的とする。
【課題を解決するための手段】
【０００４】
上記課題に鑑み、本発明に従った磁気共鳴イメージングシステムは、
幾つかのＲＦ励起の１つを生成するＲＦ励起モジュール、
幾つかの磁場傾斜パルスの１つを生成する傾斜モジュール、及び
前記ＲＦ励起モジュール及び前記傾斜モジュールを制御する制御ユニット、
を有し、
前記制御ユニットは、一連のＲＦ励起及び傾斜パルスを含む収集シーケンスを実行するように構成されており、
前記収集シーケンスは磁気共鳴信号が生成される幾つかの収集セグメントを有し、それぞれのセグメントにおいて、前記磁気共鳴信号は異なる種類のコントラストに関連しており、且つ
個々の収集セグメントは１つ又は幾つかの反復的な収集ユニットを有し、個々の収集ユニットにおける磁気共鳴信号は同一種類のコントラストに関連している。
【０００５】
本発明は、磁気共鳴信号の収集は幾つかの収集セグメントに分割されるという知見に基づくものである。個々の収集セグメントは、特定種類のコントラストを有する磁気共鳴信号の収集を伴う。故に、概して、ある特定の種類のコントラストを有する磁気共鳴信号が、そのコントラスト種類のための１つ又は幾つかの収集セグメントにて収集される一方で、異なる種類のコントラストを有する磁気共鳴信号は１つ又は幾つかの他の収集セグメントにて収集される。収集セグメントの各々は、例えばＲＦパルス及び時間的な傾斜磁場を含む磁気共鳴収集シーケンスを含み、その間に磁気共鳴信号が生成・収集される。時間的な傾斜磁場は磁気共鳴イメージングシステムの主磁場に重畳され、磁気共鳴信号の空間エンコーディングを生成する働きをする。これら時間的な傾斜磁場は傾斜パルスとも呼ばれている。しばしば、磁気共鳴信号の実際の収集中に存在させられる読み出し傾斜パルスと、磁気共鳴信号の収集とは離れて存在させられる位相エンコーディング傾斜パルスとが用いられる。これらの磁気共鳴信号の収集シーケンスは反復的な収集ユニットから構築されている。本発明に従って、個々の収集ユニットにおいては同一種類のコントラストの磁気共鳴信号が収集される。個々の収集セグメント中では、例えば、複数のエコーを生成するため、且つ／或いは安定な収集形式を確立するため、この収集ユニットは何度か繰り返されてもよい。収集セグメント間では、区別されるグループが２つ以上存在する。１つのグループの収集セグメントにおいては、ある特定の種類のコントラストがそのセグメントにて収集された磁気共鳴信号に有されている。しかしながら、異なるグループの収集セグメントにおいては、異なる種類のコントラストが有されている。幾つかのグループの収集セグメントが様々な度合いで互い違いにされてもよい。すなわち、ある１つの収集から次の収集へ相異なるグループからの収集セグメントの間で互い違いにされてもよいし、あるいは、１つのグループからの多数の収集セグメントが、他のグループからの多数の（同一又は異なる）収集セグメントに続かれてもよい。収集セグメントのグループ毎に異なる種類のコントラストを有するこの収集方法により、他の収集セグメントのグループのコントラスト種類に関係なく、各々のコントラスト種類の収集が最適化されることが可能になる。収集セグメントのシーケンスにおいて、連続した収集セグメントは異なる種類の制約に支配される。例えば、ある１つの収集セグメントが最大ＳＡＲ（比吸収率）を超えないとの制約に支配される一方で、次の収集セグメントは傾斜モジュールの性能限界による制約に支配されてもよい。さらに、収集セグメント内での収集ユニットの繰り返しは、その他の収集セグメントが構築される手法とは無関係に設定されてもよい。斯くして、その他の収集セグメントから独立して、各々の収集セグメントの更なる最適化が達成される。また、収集セグメント間でプロファイルを共有する必要がない。すなわち、収集セグメントは、これらの収集セグメントに共通な収集セグメントのｋ空間プロファイルを有することなく実行され得る。例えば、エコートレインの長さ（すなわち、ＲＦ励起パルス当たりのエコーの形態の磁気共鳴信号数）は、それぞれのコントラスト種類に関して独立に変化させられ得る。
【０００６】
本発明のこれら及び他の態様について、従属項にて定められる実施形態を参照して更に詳述する。
【０００７】
本発明の一態様に従って、収集セグメントの期間はそれらの内容に基づいて設定される。収集セグメントの内容は、例えば、収集ユニット内に発生するＲＦパルス（励起パルス、リフォーカスパルス、反転パルス）及び時間的な傾斜（例えば、読み出し傾斜、位相エンコーディング傾斜、拡散若しくはフロー感知（sensitizing）傾斜などの傾斜パルス）、並びに収集セグメント内に用いられる収集ユニットの数の点から見た内容から得られる。それぞれの収集セグメント内の収集ユニットの数は、解決されるべき問題となっている制約に基づいて設定されてもよい。特定の例によれば、特定の収集セグメントの期間は、関連するＳＡＲ限界を超えないように、あるいは傾斜モジュールの最大性能を超えないように、その収集セグメントの内容に基づいて設定されてもよい。実際には、傾斜モジュールの最大性能は、事前設定された期間にわたって傾斜モジュールの性能（例えば、信号電力）を平均したときの最大値に関して表現される。具体的には、収集シーケンスの期間は、収集セグメントの内容から得られるデューティサイクル限界に基づいて設定される。収集セグメントの期間の設定は、ユーザ入力に基づいて行われてもよい。このユーザ入力は、ユーザ入力を介して制御ユニットに入力される。ユーザ入力に基づく収集セグメント期間の設定により、操作者が自身の個人的嗜好に従って収集セグメントを設定することが容易になる。他の一実施形態においては、制御ユニットは収集セグメントの期間をその内容に基づいて計算するように構成され、収集セグメントの期間を得るのに必要なユーザ介入が少なくされる。なお、収集セグメントの期間はその収集ユニットの繰り返し数に関連する。従って、単位時間での収集セグメントの期間は収集ユニットの期間と繰り返し数との積によって与えられる。しばしば、各種類のコントラストの収集の分割は、問題となっているコントラストの種類に関する収集に固有の分割境界に従って行われ得る。これら固有の分割境界は、その内容が多数の要素を共通して有する収集シーケンスに対して、その部分群を分割する。
【０００８】
本発明の他の一態様に従って、収集セグメントの期間は、事前選択された安全マージンを考慮しながら上記の制約に基づいて設定される。事前選択された安全マージンは、例えば、その制約が満たされる収集セグメントの期間の選択部分、又は該期間から選択される名目上の期間である。この選択される部分又は名目上の期間は、場合により問題となっている制約の種類に応じて、ユーザによって選択され得る。他の例では、選択される部分又は名目上の期間は制御ユニットによって自動的に選択されてもよい。これは、実行される収集シーケンスにて生じるコントラストの種類に基づいて安全マージンを計算するソフトウェアによって実現される。このような安全マージンが用いられるとき、１つ又は幾つかの制約が破られる虞が低減される。
【０００９】
本発明は、磁気共鳴システムが信号収集に関して働いていない期間が回避、あるいは実質的に短縮されながら、磁気共鳴収集シーケンスが、例えばＳＡＲ限界及び最大傾斜性能などの特定の制約内に留まることを可能にする。磁気共鳴イメージングにて問題となる制約の他の例は、B0ドリフト、ＲＦデューティサイクル、音響ノイズレベル、患者が行い得る息止めの期間である。本発明は、実質的に収集時間を長くすることに頼る必要なく、これらの制約を満たすように大きく打開することを可能にする。
【００１０】
例えば、収集セグメントの１つの拡散グループは拡散強調コントラストに関連する一方で、収集セグメントの別の１グループであるＴＳＥグループはＴＳＥ（ターボスピンエコー）収集に関連していてもよい。拡散グループの収集セグメントは拡散強調に必要な拡散傾斜を考慮した最大傾斜性能に基づく期間セットを有する。ＴＳＥグループの収集セグメントは、比較的多数のＲＦリフォーカスパルスを考慮して、関連するＳＡＲ限界に従って設定される。拡散グループの収集セグメントは、ＴＳＥグループの収集セグメントがＳＡＲ限界によって妨げられている間に実行されることができ、逆に、ＴＳＥグループの収集セグメントは、拡散グループの収集セグメントが最大傾斜性能によって妨げられている間に実行されることができる。故に、ＳＡＲ限界及び最大傾斜性能は全体のデータ収集効率にあまり悪影響を及ぼさない。
【００１１】
本発明の更なる一態様に従って、収集セグメントの期間はユーザによって手作業で設定され得る。このため、制御ユニットは設定された収集セグメント期間を受け取るためのユーザ入力を備えている。従って、ユーザは収集セグメントの期間を独自のものとし、ＭＲ検査の具体的状況を適切に考慮することができる。
【００１２】
本発明の他の一態様に従って、制御ユニットは収集セグメントの期間を計算する。この計算は収集セグメントの内容、すなわち、ＲＦパルス、時間的な傾斜磁場（傾斜パルス）、と収集ユニットにおけるそれらの波形、及び様々な収集ユニットの繰り返し数、に基づいて行われる。例えば、この計算は、例えばＳＡＲ限界及び最大傾斜性能などの様々な制約を考慮し、それにより、これら制約に従った収集セグメントの期間を算出し、また磁気共鳴シメージングシステムが働いていない、特に、磁気共鳴信号の収集が行われていない時間を最小化する。収集セグメントの期間は、特に収集セグメント内の収集ユニットの繰り返し数に関して、最大期間より短い事前設定された割合又は事前設定されたオフセットに、あるいはそれより少しだけ小さく設定される。最大期間という用語は、期間をそれより長くすると関連する制約を超えてしまう収集セグメント期間を表している。
【００１３】
本発明の更なる一態様に従って、制御ユニットはまた、磁気共鳴イメージングシステムの受信モジュール及び再構成モジュールを制御するように構成されている。受信モジュールは、特定のコントラストの磁気共鳴画像を再構成するのに必要な収集セグメントの磁気共鳴信号を集めるように制御される。特に、制御ユニットは、それぞれのコントラスト種類の収集セグメントの集められた磁気共鳴信号を相異なる信号パッケージに集合させるように受信器ユニットを制御する。斯くして、磁気共鳴信号間のクロストークが回避される。また、再構成モジュールは、そのコントラスト種類の収集セグメントの磁気共鳴信号から再構成を実行するように制御される。これは、各々のコントラスト種類に関する集合パッケージ上で為されてもよい。
【００１４】
本発明はまた、請求項７にて定められる磁気共鳴イメージング方法に関する。この本発明に係る磁気共鳴イメージング方法は、その他のグループの収集セグメントのコントラスト種類とは無関係に、各々のコントラスト種類の収集の最適化をもたらす。本発明はまた、請求項８にて定められるコンピュータプログラムに関する。本発明に係るコンピュータプログラムは例えばＣＤ−ＲＯＭ等のデータ担体上で提供され得る。あるいは、本発明に係るコンピュータプログラムは例えばワールドワイドウェブ等のデータネットワークからダウンロードされ得る。これが磁気共鳴イメージングシステムに含まれるコンピュータにインストールされると、磁気共鳴イメージングシステムは本発明に従って動作し、その他のグループの収集セグメントのコントラスト種類とは無関係に、各々のコントラスト種類の収集の最適化をもたらすことが可能にされる。
【００１５】
本発明のこれら及び他の態様は以下で説明される実施形態及び添付図面を参照することにより明らかとなるであろう。
【発明を実施するための最良の形態】
【００１６】
図１は、本発明が用いられる磁気共鳴イメージングシステムを示している。磁気共鳴イメージングシステムは一組の主コイル10を有し、それにより安定で均一な磁場が生成される。主コイルは、例えば、トンネル形状の検査空間を囲むように構成されている。検査される患者はこのトンネル形状の検査空間に滑るように入れられる患者支持台に載せられる。磁気共鳴イメージングシステムはまた多数の傾斜コイル11、12を有し、それにより、空間的変化を示す磁場、すなわち、個々の方向への時間的な傾斜を有する形態の磁場が、均一磁場に重ね合わされるように生成される。傾斜コイル11、12は制御可能な電源ユニット21に接続され、電源ユニット21を用いて電流を与えることによりエネルギー供給される。このため電源ユニットは、適当な時間的形状の傾斜パルス（‘傾斜波’とも呼ばれる）を生成するように傾斜コイルに電流を供給する傾斜増幅電子回路に適合される。傾斜の強さ、方向及び期間は電源ユニットの制御によって制御される。磁気共鳴イメージングシステムはまた、それぞれ、ＲＦ励起パルスを生成し、磁気共鳴信号を受け取る、送信及び受信コイル13、16を含んでいる。送信コイル13は好ましくは、検査対象（の一部）を取り囲み得るボディコイル13として構成される。ボディコイルは、通常、検査される患者30が磁気共鳴イメージングシステム内に置かれるとき、患者30がボディコイル13によって囲まれるように磁気共鳴イメージングシステム内に配置される。ボディコイル13はＲＦ励起パルス及びＲＦリフォーカスパルスの送信のための送信アンテナとしての役割を果たす。好ましくは、ボディコイル13は空間的に均一な強度分布の送信ＲＦパルス（ＲＦＳ）を伴う。通常、同一のコイル又はアンテナが交互に送信コイル及び受信コイルとして用いられる。さらに、送信及び受信コイルは通常はコイル形状をしているが、送信及び受信コイルがＲＦ電磁信号用の送信及び受信アンテナとして機能するような他の形状も実現可能である。送信及び受信コイル13は送信・受信電子回路15に接続されている。
【００１７】
代わりに、別個の受信及び／又は送信コイル16を使用することも可能である。例えば、表面コイル16が受信及び／又は送信コイルとして使用可能である。上記表面コイルは比較的小さい容積でも高感度となる。表面コイル等の受信コイルは復調器（ＤＭＤ）24に接続され、受信された磁気共鳴信号（ＭＳ）は復調器24によって復調される。復調された磁気共鳴信号（ＤＭＳ）は再構成ユニット（ＲＥＣ）に与えられる。受信コイルは前置増幅器23に接続されている。前置増幅器23は受信コイル16によって受信されたＲＦ共鳴信号（ＭＳ）を増幅し、増幅されたＲＦ共鳴信号は復調器24に与えられる。復調器24は増幅されたＲＦ共鳴信号を復調する。復調された共鳴信号は、撮像された対象部分内の局所スピン密度に関する実情報を含んでいる。また、送信・受信回路15は変調器22に接続されている。変調器22及び送信・受信回路15は、ＲＦの励起パルス及びリフォーカスパルスを送信するように送信コイル13を作動させる。再構成ユニットは復調された磁気共鳴信号（ＤＭＳ）から１つ又は複数の画像信号を導出する。その画像信号は検査対象の撮像部分の画像情報を表す。再構成ユニット25は、実用上、復調された磁気共鳴信号から撮像対象部分の画像情報を表す画像信号を導出するようにプログラムされたデジタル画像処理ユニット25として構築されることが好ましい。再構成ユニットの出力上の信号は、モニター26が磁気共鳴画像を表示し得るようにモニター26に与えられる。他の例では、更なる処理を待つ間、再構成ユニット25からの信号をバッファユニット27に保存することも可能である。
【００１８】
本発明に従った磁気共鳴イメージングシステムはまた、例えば（マイクロ）プロセッサを含むコンピュータの形態の、制御ユニット（ＣＴＲ）20を備えている。制御ユニット20はＲＦ励起の実行及び時間的傾斜磁場の印加を制御する。このため、本発明に従ったコンピュータプログラムが、例えば制御ユニット20及び再構成ユニット25にロードされる。
【００１９】
図２は、本発明に係る磁気共鳴イメージングシステムの動作モードを示している。図２の例においては、例えば拡散グループ（Ｄｆ）、Ｔ２-ＴＳＥグループ（Ｔ２ＴＳＥ）、磁気共鳴血管造影グループ（ＭＲＡ）、Ｔ１-ＦＦＥグループ（Ｔ１ＦＦＥ）、及びフレアーグループ（ＦＬＡＩＲ）等の数グループの収集セグメントが存在している。収集セグメントは時間遷移100にて示されており、収集セグメント101の相対期間は定性的に示されている。それぞれのグループの各々で収集される磁気共鳴信号は、例えばＤｆコレクション、Ｔ２ＴＳＥコレクション、Ｔ１ＦＦＥコレクション、ＦＬＡＩＲコレクション、及びＭＲＡコレクション等の対応する磁気共鳴信号コレクション102に集められる。再構成ユニットはこれらのコレクション102からそれぞれの磁気共鳴画像103を再構成する。すなわち、Ｄｆコレクションから拡散強調磁気共鳴画像（ＤｆＩｍ）が再構成され、Ｔ２ＴＳＥコレクションからＴ２強調磁気共鳴画像（Ｔ２Ｉｍ）が再構成され、Ｔ１ＦＦＥコレクションからＴ１強調磁気共鳴画像（Ｔ１Ｉｍ）が再構成され、ＦＬＡＩＲコレクションから反転回復磁気共鳴画像（ＩＲＩｍ）が再構成され、そしてＭＲＡコレクションから磁気共鳴血管造影画像（ＡＩｍ）が再構成される。
【００２０】
最も単純な場合、拡散スキャンは（およそ）1.5分間の部分群に分割され得る。これは非常に容易に行われる。なぜなら、このスキャンは本質的に、固有の境界（‘拡散方向’、典型的に6-30；‘拡散重み’、典型的に2-4；平均、典型的に2-6）で分離されたセグメントから成るからである。個々のセグメントの各々は殆ど問題なく時間的に分離される。しかしながら、磁化安定状態の観点からは、関連する典型的なデューティサイクルの時定数により許される全時間を満たすことが有利である。この単純な場合においては、検査シーケンスは｛Ｔ１-ＦＦＥ；Ｔ２-ＴＳＥ；ＦＬＡＩＲ；拡散ＥＰＩ；ＭＲＡ｝から｛拡散セグメント１；Ｔ１-ＦＦＥ；拡散セグメント２；Ｔ２-ＴＳＥ；拡散セグメント３；ＦＬＡＩＲ；拡散セグメント４；ＭＲＡ｝に変化することになる。ユーザはこの再入れ替えに関与せず、検査カード（ExamCard）ソフトウェアの‘最適化’機能によって制御される。より高度な場合においては、Ｔ２-ＴＳＥ及びＭＲＡのシーケンスも分割される。これは、例えば、‘平均’セグメント（一般的にＳＡＲ限界時定数より短い）にて、あるいはＭＲＡの場合には‘チャンク（chunk）’セグメントにて、分割することにより、同様に取るに足らないものである。この後者は次のように理解される：ＭＲＡの場合、流入のコントラストを向上させるために完全な３次元ボリュームの複数セグメントが部分（‘チャンク’）に分けて収集される。各‘チャンク’は他のシーケンスのセグメントと交互配置（インターリーブ）され得るセグメントとして容易に扱われることができる。必要な磁化安定状態を作り出すための幾つかのオーバヘッドが必要とされるが、関連するオーバヘッド（‘スタートアップサイクル’）はデューティサイクルの制約のために必要なオーバヘッドより遙かに少ない。
【００２１】
高度な最適化された場合においては、検査順序は｛Ｔ２-ＴＳＥセグメント１；拡散セグメント１；Ｔ１-ＦＦＥ；ＭＲＡチャンク１；Ｔ２-ＴＳＥセグメント２；拡散セグメント２；ＦＬＡＩＲ；ＭＲＡチャンク２；Ｔ２-ＴＳＥセグメント３；拡散セグメント３；ＭＲＡチャンク３｝等のようになる。
【００２２】
断面のクロストークを防止するため幾つかのシーケンスは‘パッケージ’に分離されるので、その他の混合手法も実現可能である。例え、デューティサイクルの観点から（ＦＬＡＩＲのような）特別なスキャンが必要でない場合であっても、このパッケージはシーケンスを分割するために容易に使用されることができ、デューティサイクル限界シーケンスの更なる分離を可能にする。
【図面の簡単な説明】
【００２３】
【図１】本発明が用いられる磁気共鳴イメージングシステムを示す図である。
【図２】本発明に係る磁気共鳴イメージングシステムの動作モードを示す図である。
【図１】
2008523942.tif 000003
【図２】
2008523942.tif 000004
【国際調査報告】
2008523942.tif 000005
2008523942.tif 000006
2008523942.tif 000007